(57)【特許請求の範囲】
【請求項１】
収納部の上面から上下方向に出没自在なディスプレイと、前記ディスプレイの上下動をガイドするガイド手段と、前記ディスプレイを上方へ付勢する付勢手段と、前記ディスプレイを収納位置に係止するディスプレイ係止手段とを備え、前記付勢手段が、それぞれ回転自在に支承されているガイドボビンおよび巻き取りボビンと、定荷重ゼンマイとを有して構成されて、前記巻き取りボビンに前記定荷重ゼンマイが一端側から巻き取られ、かつ、前記定荷重ゼンマイの他端側が、前記ガイドボビンにより折り返された状態で、前記ディスプレイ側に取付けられていることを特徴とするディスプレイ装置。
【請求項２】
収納部の上面から上下方向に出没自在なディスプレイと、前記ディスプレイの上下動をガイドするガイド手段と、前記ディスプレイを上方へ付勢する付勢手段と、前記ディスプレイを使用位置及び収納位置に係止するディスプレイ係止手段とを備え、前記付勢手段が、それぞれ回転自在に支承されているガイドボビンおよび巻き取りボビンと、定荷重ゼンマイを有して構成されて、前記巻き取りボビンに前記定荷重ゼンマイが一端側から巻き取られ、かつ、前記定荷重ゼンマイの他端側が、前記ガイドボビンにより折り返された状態で、前記ディスプレイ側に取付けられていることを特徴とするディスプレイ装置。
【請求項３】
前記係止手段が、前記ディスプレイの上面に設けられた押しボタンと、前記押しボタンにより上下動されるカムと、一端側が前記カムのガイド溝に係合され、かつ他端側が前記カムの上下動に伴い係止孔側へ出没して、係止孔と係脱自在に係合する係止ピンと、から構成されてなる請求項１または請求項２記載のディスプレイ装置。
【請求項４】
前記巻き取りボビンまたはディスプレイの上下動をガイドするガイド部材の摺動部材に、前記定荷重ゼンマイの巻き取り速度を減速するダンパが付属してなる請求項１または請求項２記載のディスプレイ装置。
【請求項５】
前記ディスプレイを使用位置に係止する係止孔の近傍に、ディスプレイを傾斜した状態に係止する係止孔を設けてなる請求項３記載のディスプレイ装置。
【発明の詳細な説明】
【０００１】
【発明の属する技術分野】
この発明はディスプレイの使用位置及び収納位置への移動動作が円滑に行えるディスプレイ装置に関する。
【０００２】
【従来の技術】
従来、自動車の車内等においてテレビなどを見たり、カーナビゲーションシステムなどの画面を表示するのに使用されているディスプレイ装置は、使用者から見やすい位置のダッシュボード上や、ダッシュボード内にディスプレイが設置されている。
【０００３】
しかし、前記ダッシュボード上にディスプレイを設置したディスプレイ装置では、不使用時でもディスプレイがダッシュボード上に露出しているため、目障りになる場合がある。
【０００４】
また、前記ダッシュボード内にディスプレイ装置を設置したものでは、ディスプレイがダッシュボード前面の多くの面積を占有するため、オーディオ機器などを設置するスペースが少なくなる。
【０００５】
斯かる点を改善するため、例えば特開平１０−１４７１８５号公報などで、使用時にはディスプレイをダッシュボード上へ突出させ、不使用時にはディスプレイを収納部としてのダッシュボード内へ収納するようにしたディスプレイ装置が提案されている。
【０００６】
前記公報記載のディスプレイ装置は、収納部としてのダッシュボードの上面に埋め込まれた筐体内にディスプレイが略水平状態に収納されていて、筐体の上面開口部はリッドで覆われており、不使用時（収納時）にはディスプレイが外から見えないようになっている。
【０００７】
また、使用時には、前記モータによってスライドベースが移動するのに伴い、ディスプレイの下部がカム部材のガイド溝に案内されて、ディスプレイが起立を開始すると同時に、ディスプレイの上部に設けられたローラがリッドを開放しながらディスプレイがダッシュボード上に突出し、直立姿勢で停止することにより使用状態となるように構成されている。
【０００８】
【発明が解決しようとする課題】
しかし、前記公報記載のディスプレイ装置では、モータを使用してディスプレイを使用位置へ起立させたり、筐体内へ収納しているため、構成及び作動が複雑で、装置全体が高価となる虞がある。
【０００９】
また、前記ディスプレイを使用位置へ起立させると、リンクなどの起伏手段も外部へ露出するため、見栄えが悪いなどの不具合もある。
【００１０】
この発明はかかる従来の不具合を改善するためになされたもので、モータなどを使用せずに簡単な構成でディスプレイを使用位置及び収納位置へ円滑に移動することができると共に、リンク等が外部へ露出することがなく、外観に優れたディスプレイ装置を提供することを目的とするものである。
【００１１】
【課題を解決するための手段】
前記目的を達成するため、請求項１記載の発明は、収納部の上面から上下方向に出没自在なディスプレイと、前記ディスプレイの上下動をガイドするガイド手段と、前記ディスプレイを上方へ付勢する付勢手段と、前記ディスプレイを収納位置に係止するディスプレイ係止手段とを備え、前記付勢手段が、それぞれ回転自在に支承されているガイドボビンおよび巻き取りボビンと、定荷重ゼンマイとを有して構成されて、前記巻き取りボビンに前記定荷重ゼンマイが一端側から巻き取られ、かつ、前記定荷重ゼンマイの他端側が、前記ガイドボビンにより折り返された状態で、前記ディスプレイ側に取付けられていることを特徴とする。
【００１２】
斯かる構成においては、前記ディスプレイの収納状態から、ディスプレイ係止手段によるディスプレイの係止（収納位置）を解除すると、ディスプレイが付勢手段によって付勢され、かつガイド手段にガイドされて直線的に使用位置まで上昇する。この場合に、前記ディスプレイの使用位置は付勢手段による最大付勢位置となる。また、前記ディスプレイを使用位置から収納するには、ディスプレイを手で押すことによって達せられ、ディスプレイ係止手段によって収納位置に再び係止される。
【００１３】
このため、前記ディスプレイを収納位置及び使用位置にモータなどを使用することなく円滑に移動させることができる。また、前記ディスプレイの使用状態においてリンク等が外部へ露出することがない。
【００１４】
したがって、モータなどを使用せずに簡単な構成でディスプレイを使用位置及び収納位置へ円滑に移動することができると共に、リンク等が外部へ露出することがなく、外観に優れたディスプレイ装置が得られる。
【００１５】
また、斯かる構成によれば、前記付勢手段を小型に構成することができると共に、構成の簡素化を図ることができる。
【００１６】
また、請求項２記載の発明は、収納部の上面から上下方向に出没自在なディスプレイと、前記ディスプレイの上下動をガイドするガイド手段と、前記ディスプレイを上方へ付勢する付勢手段と、前記ディスプレイを使用位置および収納位置に係止するディスプレイ係止手段とを備え、前記付勢手段が、それぞれ回転自在に支承されているガイドボビンおよび巻き取りボビンと、定荷重ゼンマイとを有して構成されて、前記巻き取りボビンに前記定荷重ゼンマイが一端側から巻き取られ、かつ、前記定荷重ゼンマイの他端側が、前記ガイドボビンにより折り返された状態で、前記ディスプレイ側に取付けられていることを特徴とする。
【００１７】
斯かる構成においては、前記ディスプレイの収納状態から、ディスプレイ係止手段によるディスプレイの係止(収納位置)を解除すると、ディスプレイが付勢手段によって付勢され、かつガイド手段にガイドされて直線的に使用位置まで上昇し、ディスプレイ係止手段によって使用位置に係止される。また、前記ディスプレイを使用位置から収納するには、ディスプレイ係止手段によるディスプレイの係止（使用位置）を解除してディスプレイを手で押すことによって達せられ、ディスプレイ係止手段によって収納位置に再び係止される。
【００１８】
このため、前記ディスプレイを収納位置及び使用位置にモータなどを使用することなく円滑に移動させることができる。また、前記ディスプレイの使用状態においてリンク等が外部へ露出することがない。
【００１９】
したがって、モータなどを使用せずに簡単な構成でディスプレイを使用位置及び収納位置へ円滑に移動することができると共に、リンク等が外部へ露出することがなく、外観に優れたディスプレイ装置が得られる。加えて、前記ディスプレイが係止手段によって収納位置及び使用位置に確実に係止される。
【００２０】
また、斯かる構成によれば、前記付勢手段を小型に構成することができると共に、構成の簡素化を図ることができる。
【００２１】
また、請求項３記載の発明は、前記係止手段が、前記ディスプレイの上面に設けられた押ボタンと、前記押ボタンにより上下動されるカムと、一端側が前記カムのガイド溝に係合され、かつ他端側が前記カムの上下動に伴い係止孔側へ出没して、係止孔と係脱自在に係合する係止ピンと、から構成している。
【００２２】
斯かる構成によれば、前記ディスプレイ上面に設けた押ボタンを押すだけで、ディスプレイの収納位置及び使用位置での係止を解除することができるため、ディスプレイの出し入れが容易に行える。また、前記係止手段を小型に構成することができる。
【００２３】
また、請求項４記載の発明は、前記巻き取りボビンまたはディスプレイの上下動をガイドするガイド手段の摺動部材に、定荷重ゼンマイの巻き取り速度を減速するダンパが付属した構成にしてある。
【００２４】
斯かる構成によれば、前記ディスプレイを収納位置から使用位置へ移動させる付勢力がほぼ一定となるので、安定した移動動作が可能になると共に、上昇端でディスプレイが急停止することがないので、停止時の衝撃によりディスプレイの寿命が低下するなどの不具合も生じない。
【００２５】
また、請求項５記載の発明は、前記ディスプレイを使用位置に係止する係止孔の近傍に、ディスプレイを傾斜した状態に係止する係止孔を設けた構成にしてある。
【００２６】
斯かる構成によれば、前記係止手段によりディスプレイを傾斜させた状態で係止することができるため、ディスプレイがより見やすくなる。
【００２７】
【発明の実施の形態】
以下、この発明の実施の形態を車両用のディスプレイ装置に適用した態様として、図面に基づいて詳述する。
【００２８】
図１乃至図１２はこの発明の第１の実施の形態を示す図面である。
【００２９】
これら図において、１は車内の前部に設けられたダッシュボードで、前面にはオーディオ機器２などが収納されていると共に、上部には、ディスプレイ装置３のディスプレイ４が出没自在に収納されている。これによって、前記ダッシュボード１はディスプレイ４の収納部となっている。
【００３０】
前記ディスプレイ装置３は、図３以下の図面に示されるように、金属板を折り曲げることにより形成されたケース５を有している。
【００３１】
前記ケース５は上下面が開口した扁平な箱状となっていて、両側板５ａに縦方向にガイド溝５ｂが形成されており、これらガイド溝５ｂにガイド手段６の摺動部材６ａが上下方向に摺動自在に支承されている。
【００３２】
前記ディスプレイ４は図４に示すように、前部ケース４ａと後部ケース４ｂを有していて、これら前後部ケース４ａ，４ｂ内に液晶表示器よりなるディスプレイ本体４ｃが収納されており、このディスプレイ本体４ｃに表示される画像は前部ケース４ａに開口された表示窓４ｄから見えるようになっている。
【００３３】
前記後部ケース４ｂの裏面には、ディスプレイ係止手段７を構成するピンケース７ａが設けられている。
【００３４】
前記ディスプレイ係止手段７は、ピンケース７ａの内部に突設されたガイド片７ｂにガイドされて上下動自在なピン７ｃを有しており、このピン７ｃの上端は前部ケース４ａの上面に設けられた押しボタン７ｄの下面に下方から当接している。
【００３５】
前記ピン７ｃはばね７ｆのばね力により常時上方へ付勢されている。また、前記ピン７ｃの下端は略三角形状をなすカム７ｅの頂部に接続されている。
【００３６】
前記カム７ｅには一対の長孔７ｇが略ハ字形に開口されていて、これら長孔７ｇに一対の係止ピン７ｈの対向端側に突設されたガイドピン７ｉが係合されている。
【００３７】
前記係止ピン７ｈは、一端側がピンケース７ａ内の下部に形成されたガイド溝７ｊ内に水平に収容されていて、カム７ｅの上下動に伴い接離方向へ移動されるようになっており、これによって各係止ピン７ｈの先端（他端側）がピンケース７ａの両側面より出没して、ケース５の支持片５ｃに開口された上部係止孔５ｄ及び下部係止孔５ｅに選択的に係合されるようになっている。また、前記一対の係止ピン７ｈの間には、各係止ピン７ｈを互いに離間する方向へ付勢するばね７ｋが介在されている。
【００３８】
また、前記ディスプレイ４の前部ケース４ａ両側下部には、ビス８により、カラー９及びブッシュ１０を介して一対の連結部材１１の上端側が回動自在に枢着されている。
【００３９】
前記各連結部材１１の下端側は、ケース５のガイド溝５ｂに摺動自在に支承された摺動部材６に、ケース５の内側からビス６ｂにより固着されていて、ケース５内に収納されたディスプレイ４がガイド溝５ｂにガイドされて、ケース５内より上方へ円滑に出没できるようになっている。
【００４０】
これによって、前記ディスプレイ４はガイド手段６によってガイドされて上下動可能となっている。
【００４１】
前記ケース５の裏面側には、前記ピンケース７ａの幅よりもやや広い間隔で一対の支持片５ｃが折り曲げ形成されており、これら支持片５ｃの間にディスプレイ４を上方へ付勢する付勢手段１４が取付けられている。
【００４２】
前記付勢手段１４は、ガイドボビン１４ａと、巻き取りボビン１４ｂを有していて、これらボビン１４ａ，１４ｂは軸ピン１４ｃ，１４ｄにより上下に離間した状態で支持片５ｃ間に回転自在に支承されている。また、前記巻き取りボビン１４ｂには定荷重ゼンマイ１４ｅが一端側から巻き取られるようになっている。
【００４３】
前記定荷重ゼンマイ１４ｅの他端側は、ガイドボビン１４ａで折り返された状態で、端部に固着されたブラケット１４ｆがビス１４ｇによりディスプレイ４の底面に固着されており、これにより、ディスプレイ４が定荷重ゼンマイ１４ｅのばね力によって常時上方へ付勢されるようになっている。また、前記巻き取りボビン１４ｂの一方の鍔部１４ｋにはギヤ１４ｉが形成されていて、このギヤ１４ｉに、巻き取り速度を減速するためのダンパ１５のギヤ１５ａが噛合されている。
【００４４】
次に、斯かる構成になる車載用のディスプレイ装置の作動を図７乃至図１２を参照して説明する。
【００４５】
先ず、前記ディスプレイ装置３を使用しないときには、ディスプレイ４が、ダッシュボード１内に設置されたケース５内に収納されている（図７参照）。この状態では、前記ディスプレイ４の上面とダッシュボード１の上面が略同一平面となっているため（図１参照）、ダッシュボード１の外観を損なうことがない上、ディスプレイ４が前方の視界を妨げることがない。
【００４６】
また、前記ディスプレイ４の収納状態では、ピンケース７ａの下部に収納された係止ピン７ｈの先端は、図１０に示すように支持片５ｃの下部係止孔５ｅに係止されているため、走行中に振動などが加わっても、ディスプレイ４が不用意に上方へ突出することがない。
【００４７】
次に、前記ディスプレイ装置３を使用するには、ディスプレイ４上面の押しボタン７ｄを押すことによってディスプレイ４が取出される。即ち、前記押しボタン７ｄを押すと、押しボタン７ｄによりピン７ｃを介してカム７ｅが図１１に示すように下動され、これによってばね７ｋのばね力に抗して係止ピン７ｈが互いに接近する方向へ移動されて、各係止ピン７ｈの先端が支持片５ｃの下部係止孔５ｅから外れる。これによって、前記定荷重ゼンマイ１４ｅのばね力によりディスプレイ４が上昇して、図２及び図８に示すようにダッシュボード１の上面から使用位置へ突出される。
【００４８】
前記ディスプレイ４が上昇するとき、ディスプレイ４は連結部材１１を介して接続された摺動部材６ａがケース５のガイド溝５ｂにガイドされて上昇するため、ディスプレイ４の移動動作が円滑に行える。尚、前記ピン７ｃ及び係止ピン７ｈを付勢するばね７ｆ，７ｋのばね力よりも定荷重ゼンマイ１４ｅのばね力が予め大きく設定されているので、押しボタン７ｄを押した状態でも、ディスプレイ４を上昇させることができる。
【００４９】
前記ディスプレイ４が使用位置へ上昇されると、図１２に示すように係止ピン７ｈの先端が支持片５ｃの上部係止孔５ｄに係止される。このため、走行中の振動などによりディスプレイ４が上下動することがない。
【００５０】
一方、前記ディスプレイ４が直立した状態では見にくい場合は、押しボタン７ｄを再び押して、係止ピン７ｈの先端を上部係止孔５ｄから外し、ディスプレイ４の上部を前方へ押して、ビス８を中心にディスプレイ４を図９に示すように傾斜させ、この状態で上部係止孔５ｄの近傍に開口された係止孔５ｆに係止ピン７ｈの先端を係止する。これにより、前記ディスプレイ４を傾斜した位置に固定することができるため、ディスプレイ４がより見やすくなる。
【００５１】
次に、前記ディスプレイ装置３の使用後、ディスプレイ４をダッシュボード１内へ収納する場合は、使用位置に突出したディスプレイ４を、押しボタン７ｄを押しながら手で押し下げることによって達せられる。即ち、前記ディスプレイ４上面の押しボタン７ｄを押しながらディスプレイ４を押し下げることによって、係止ピン７ｈの先端が上部係止孔５ｄから外れて、ディスプレイ４が定荷重ゼンマイ１４ｅのばね力に抗して下降され、このディスプレイ４がケース５内に収納されて収納位置に達したところで、係止ピン７ｈの先端が下部係止孔５ｅに再び係止される。これによって、前記ディスプレイ４が収納位置に固定されることになる。
【００５２】
図１３乃至図１５はこの発明の第２の実施の形態を示すもので、次にこれについて説明する。尚、説明に際して、前記第１の実施の形態と同一部分は同一符号を付して、その重複する説明は省略する。
【００５３】
図１３乃至図１５に示す第２の実施の形態では、連結部材１１が略Ｔ字形に形成してあり、この連結部材１１は、この連結部材１１の短辺の両端側に設けたローラ１７ａを介して、ケース５両側のガイド溝５ｂに上下動自在に支承されている。
【００５４】
また、前記連結部材１１の長辺の先端に設けたローラ１７ｂを、ケース５の裏面に固着されたガイド部材１８のガイド溝１８ａに上下動自在に支承することにより、各ガイド溝５ｂ，１８ａにガイドされて連結部材１１が円滑に上下動するようになっておいる。また、前記連結部材１１の長辺の先端に設けられたローラ１７ｂには、巻き取り速度を減速するダンパ１９が接続されている。
【００５５】
前記ガイド部材１８の上部にはボビンケース１８ｂが形成されていて、このボビンケース１８ｂ内に定荷重ゼンマイ１４ｅが一端側から巻き取られる巻き取りボビン１４ｂが回転自在に収容されている。また、前記ボビンケース１８ｂから繰り出された定荷重ゼンマイ１４ｅの他端側は、連結部材１１の長辺に接続されている。
【００５６】
前記連結部材１１の短辺上部は、ビス８によりカラー９及びブッシュ１０を介してディスプレイ４の側面下部に枢着されていて、定荷重ゼンマイ１４ｅのばね力により連結部材１１を介してディスプレイ４が常時上方へ付勢されている。
【００５７】
次に、斯かる構成になる車載用のディスプレイ装置の作動を説明する。先ず、図１４に示すディスプレイ４の収納状態から、ディスプレイ４上面の押しボタン７ｄを押すと、前記第１の実施の形態と同様に、押しボタン７ｄによりピンを介してカム７ｅが図１１に示すように下動され、これによってばね７ｋのばね力に抗して係止ピン７ｈが互いに接近する方向へ移動されて、各係止ピン７ｈの先端が支持片５ｃの下部係止孔５ｅから外れる。これによって、前記定荷重ゼンマイ１４ｅのばね力によりディスプレイ４が上昇して、図２及び図１５に示すようにダッシュボード１の上面から使用位置へ突出される。
【００５８】
前記ディスプレイ４が上昇するとき、ディスプレイ４に接続された連結部材１１がケース５のガイド溝５ｂ及びガイド部材１８のガイド溝１８ａにガイドされて上昇するため、ディスプレイ４の移動動作が円滑に行える。尚、前記ピン７ｃ及び係止ピン７ｈを付勢するばね７ｆ，７ｋのばね力よりも定荷重ゼンマイ１４ｅのばね力が予め大きく設定されているので、押しボタン７ｄを押した状態でも、ディスプレイ４を上昇させることができる。
【００５９】
なお、前記ディスプレイ４を使用位置からダッシュボード１内へ収納する動作は、前記第１の実施の形態と同様であるから説明を省略する。
【００６０】
以上、この発明の実施の形態を図面に基づいて詳細に説明したが、具体的構成はこの態様に限られるものではなく、発明の要旨を逸脱しない範囲で変更可能である。例えば、前記ディスプレイ係止手段７を構成する係止ピン７ｈが上部係止孔５ｄに係止して、ディスプレイ４を使用位置に係止する実施の形態について述べたが、これに限ることなく、付勢手段１４による最大付勢位置、例えば定荷重ゼンマイ１４ｅの最伸張位置を使用位置とすることも可能である。
【００６１】
また、車載用のディスプレイ装置に適用した実施の形態について述べたが、航空機鉄道車両等の各種乗り物等に適用可能であるほか、建物内のディスプレイ装置にも適用可能である。
【００６２】
また、前記ディスプレイ４を収納部としてのダッシュボード１内に収納する実施の形態について述べたが、シート等を収納部とすることも可能である。
【００６３】
【発明の効果】
以上、詳細に説明したように、この発明によれば、モータなどを使用せずに簡単な構成でディスプレイを使用位置及び収納位置へ円滑に移動することができると共に、リンク等が外部へ露出することがなく、外観に優れたディスプレイ装置が得られる。
【図面の簡単な説明】
【図１】この発明の実施の形態になるディスプレイ装置を収納部としてのダッシュボード内に収納した収納状態を示す斜視図である。
【図２】この発明の実施の形態になるディスプレイ装置を収納部としてのダッシュボード上に突出させた使用状態を示す斜視図である。
【図３】この発明の第１の実施の形態になるディスプレイ装置の分解斜視図である。
【図４】この発明の第１の実施の形態になるディスプレイ装置のディスプレイ付近の分解斜視図である。
【図５】この発明の第１の実施の形態になるディスプレイ装置を、収納時（左半分）及び使用時（右半分）で示す断面図である。
【図６】この発明の第１の実施の形態になるディスプレイ装置の付勢手段の断面図である。
【図７】この発明の第１の実施の形態になるディスプレイ装置の作動説明図で、ディスプレイの収納状態を示す図である。
【図８】この発明の第１の実施の形態になるディスプレイ装置の作動説明図で、ディスプレイの使用状態を示す図である。
【図９】この発明の第１の実施の形態になるディスプレイ装置の作動説明図で、ディスプレイの使用状態を示す図である。
【図１０】この発明の第１の実施の形態になるディスプレイ装置の作動説明図で、ディスプレイの収納状態を示し、右半分はピン及びカムを除いて示す図である。
【図１１】この発明の第１の実施の形態になるディスプレイ装置の作動説明図で、係止ピンが下部係止孔から外れた状態を示し、右半分はピン及びカムを除いて示す図である。
【図１２】この発明の第１の実施の形態になるディスプレイ装置の作動説明図で、ディスプレイの使用状態を示し、右半分はピン及びカムを除いて示す図である。
【図１３】この発明の第２の実施の形態になるディスプレイ装置の分解斜視図である。
【図１４】この発明の第２の実施の形態になるディスプレイ装置の作動説明図で、ディスプレイの収納状態を示す図である。
【図１５】この発明の第２の実施の形態になるディスプレイ装置の作用説明図で、ディスプレイの使用状態を示す図である。
【符号の説明】
１  ダッシュボード（収納部）
３  ディスプレイ装置
４  ディスプレイ
６  ガイド手段
７  ディスプレイ係止手段
１４  付勢手段
【図１】
0003903455.tif 000002
【図２】
0003903455.tif 000003
【図３】
0003903455.tif 000004
【図４】
0003903455.tif 000005
【図５】
0003903455.tif 000006
【図６】
0003903455.tif 000007
【図７】
0003903455.tif 000008
【図８】
0003903455.tif 000009
【図９】
0003903455.tif 000010
【図１０】
0003903455.tif 000011
【図１１】
0003903455.tif 000012
【図１２】
0003903455.tif 000013
【図１３】
0003903455.tif 000014
【図１４】
0003903455.tif 000015
【図１５】
0003903455.tif 000016